(57)【要約】【課題】縁なし印刷時に、用紙上の画質を変えずに用紙裏面汚れや用紙側面の汚れを抑えることができる画像形成装置を提供する。【解決手段】トナー像を保持するトナー像保持体と、トナー像保持体に中間転写体を挟んで対向し、中間転写体を押圧してトナー像保持体に保持されたトナー像を中間転写体上に転写させる一次転写部材と、中間転写体に対向し、記録媒体の裏面に接触して電荷を付与することにより中間転写体上のトナー像を記録媒体上に転写させる二次転写部材と、記録媒体に対して余白を設けることなくトナー像を形成する縁無し印刷の有無を判断する判断手段と、一次転写部材の前記中間転写体に対する押圧力を調整する押圧機構と、を備え、縁無し印刷時に一次転写部材の押圧力を通常印刷時よりも大きくする。【選択図】図７
2014038261.tif 000002
【特許請求の範囲】
【請求項１】
トナー像を保持するトナー像保持体と、
前記トナー像保持体に中間転写体を挟んで対向し、前記中間転写体を押圧して前記トナー像保持体に保持された前記トナー像を前記中間転写体上に転写させる一次転写部材と、
前記中間転写体に対向し、記録媒体の裏面に接触して電荷を付与することにより前記中間転写体上の前記トナー像を前記記録媒体上に転写させる二次転写部材と、
前記記録媒体に対して余白を設けることなく前記トナー像を形成する縁無し印刷の有無を判断する判断手段と、
前記一次転写部材の前記中間転写体に対する押圧力を調整する押圧機構と、
を備え、
前記縁無し印刷時に前記一次転写部材の押圧力を通常印刷時よりも大きくする、
ことを特徴とする画像形成装置。
【請求項２】
前記縁無し印刷時に前記一次転写部材の押圧力を通常印刷時よりも大きくした場合に、前記二次転写部材に付与する二次転写電圧を通常印刷時よりも増加させる、
ことを特徴とする請求項１に記載の画像形成装置。
【発明の詳細な説明】
【技術分野】
【０００１】
本発明は、画像形成装置に関する。
【背景技術】
【０００２】
転写紙からはみ出したトナーの転写手段への付着を防止できる画像形成装置が知られている（特許文献１）。
また、トナー像の像転写体に対する付着力の変化を抑制し、形成される画像に乱れが生じにくい画像形成装置も知られている（特許文献２）。
【０００３】
特許文献１によれば、用紙長さ検出手段が検出した用紙長さと画像長さ指定手段で指定した画像長さとの比較結果が異なる場合に二次転写手段を中間担持体から離間させるタイミングを変更する制御を行う。
特許文献２によれば、像転写体を挟み各々のトナー像形成手段に対向して一列に配され、像転写体を押圧する複数の押圧部材のうち、一列の両端部に位置するものは、中央部に位置するものより像転写体に対する押圧力を小さく設定している。
【先行技術文献】
【特許文献】
【０００４】
【特許文献１】特開２０００−０１９８６３号公報
【特許文献２】特開２０１１−１６４２９８号公報
【発明の概要】
【発明が解決しようとする課題】
【０００５】
本発明は、縁なし印刷時に、用紙上の画質を変えずに用紙裏面汚れや用紙側面の汚れを抑えることができる画像形成装置を提供することを目的とする。
【課題を解決するための手段】
【０００６】
前記課題を解決するために、請求項１記載の画像形成装置は、
トナー像を保持するトナー像保持体と、
前記トナー像保持体に中間転写体を挟んで対向し、前記中間転写体を押圧して前記トナー像保持体に保持された前記トナー像を前記中間転写体上に転写させる一次転写部材と、
前記中間転写体に対向し、記録媒体の裏面に接触して電荷を付与することにより前記中間転写体上の前記トナー像を前記記録媒体上に転写させる二次転写部材と、
前記記録媒体に対して余白を設けることなく前記トナー像を形成する縁無し印刷の有無を判断する判断手段と、
前記一次転写部材の前記中間転写体に対する押圧力を調整する押圧機構と、
を備え、
前記縁無し印刷時に前記一次転写部材の押圧力を通常印刷時よりも大きくする、
ことを特徴とする。
【０００７】
請求項２記載の発明は、請求項１記載の画像形成装置において、
前記縁無し印刷時に前記一次転写部材の押圧力を通常印刷時よりも大きくした場合に、前記二次転写部材に付与する二次転写電圧を通常印刷時よりも増加させる、
ことを特徴とする。
【発明の効果】
【０００８】
請求項１に記載の発明によれば、縁なし印刷時に、用紙裏面汚れや用紙側面の汚れを抑えることができる。
請求項２に記載の発明によれば、縁なし印刷時に、用紙上の画質を維持したまま用紙裏面汚れや用紙側面の汚れを抑えることができる。
【図面の簡単な説明】
【０００９】
【図１】画像形成装置１の概略構成の一例を示す断面模式図である。
【図２】画像形成装置１における一次転写部の一例を示す断面模式図である。
【図３】一次転写ロールの押圧機構を示した断面模式図である。
【図４】画像形成装置１における二次転写部の一例を示す断面模式図である。
【図５】（ａ）は縁無し印刷、（ｂ）は縁有り印刷を説明する図である。
【図６】（ａ）は縁無し印刷時に中間転写ベルト上に形成されるトナー像サイズ、（ｂ）は用紙のサイズを表し、（ｃ）は縁無し印刷のトナー像と用紙の関係を示す図である。
【図７】二次転写部における中間転写ベルトと転写されるトナーと用紙と二次転写ローラとの関係を説明する断面模式図である。
【図８】一次転写ローラの押圧力と用紙裏面汚れとの関係を示すグラフである。
【図９】用紙上に転写され定着されたトナー像の濃度と二次転写バイアスの印加電圧との関係を一次転写ローラの押圧力をパラメータにして示すグラフである。
【発明を実施するための形態】
【００１０】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１１】
「第１実施形態」
（１）画像形成装置の全体構成及び動作
図１は本実施形態に係る画像形成装置１の内部構成を示す断面模式図である。
以下、図面を参照しながら、画像形成装置１の全体構成及び動作を説明する。
【００１２】
画像形成装置１は、制御装置１０、給紙装置２０、感光体ユニット３０、現像装置４０、転写装置５０、定着装置６０、とを備えて構成されている。画像形成装置１の上面（Ｚ方向）には、画像が記録された用紙が排出・収容される排出トレイ１ａが形成されている。
【００１３】
制御装置１０は、画像形成装置１の動作を制御するコントローラ１１と、コントローラ１１により作動を制御される画像処理部１２、電源装置１３等を有する。電源装置１３は、後述する帯電ローラ３２、現像ローラ４２、一次転写ローラ５２、二次転写ローラ５３等に電圧を印加する。
画像処理部１２は、外部の情報送信装置（例えばパーソナルコンピュータ等）から入力された印刷情報を潜像形成用の画像情報に変換して予め設定されたタイミングで、駆動信号を露光装置ＬＨに出力する。本実施形態の露光装置ＬＨは、ＬＥＤ（Light  Emitting  Diode）が線状に配置されたＬＥＤヘッドにより構成されている。
【００１４】
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００１５】
感光体ユニット３０は、給紙装置２０の上方（Ｚ方向）に、それぞれが並列して設けられ、回転駆動する像保持体としての感光体ドラム３１を備えている。感光体ドラム３１の回転方向にそって、帯電ローラ３２、露光装置ＬＨ、現像装置４０、一次転写ローラ５２、クリーニングブレード３４が配置されている。帯電ローラ３２には、帯電ローラ３２の表面をクリーニングするクリーニングローラ３３が対向、接触して配置されている。
【００１６】
現像装置４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像装置４０各々は、現像ハウジング４１に収容される現像剤を除いて略同様に構成され、それぞれがイエロー（Ｙ）、マゼンタ（Ｍ）、シアン（Ｃ）、黒（Ｋ）のトナー像を形成する。
【００１７】
回転する感光体ドラム３１の表面は、帯電ローラ３２により帯電され、露光装置ＬＨから出射する潜像形成光により静電潜像が形成される。感光体ドラム３１上に形成された静電潜像は現像ローラ４２によりトナー像として現像される。
【００１８】
転写装置５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２を備えている。さらに、中間転写ベルト５１上に重畳して転写された各色トナー像を記録媒体である用紙Ｐに一括転写（二次転写）する二次転写ローラ５３、とから構成されている。
【００１９】
各感光体ユニット３０の感光体ドラム３１に形成された各色トナー像は、コントローラ１１により制御される電源装置１３等から所定の転写電圧が印加された一次転写ローラ５２により中間転写ベルト５１上に順次静電転写（一次転写）され、各色トナーが重畳された重畳トナー像が形成される。
【００２０】
中間転写ベルト５１上の重畳トナー像は、中間転写ベルト５１の移動に伴って二次転写ローラ５３が配置された領域（二次転写部Ｔ）に搬送される。重畳トナー像が二次転写部Ｔに搬送されると、そのタイミングに合わせて給紙装置２０から用紙Ｐが二次転写部Ｔに供給される。そして、二次転写ローラ５３には、コントローラ１１により制御される電源装置１３等から所定の転写電圧が印加され、レジストローラ対２３から送り出され、搬送ガイドにより案内された用紙Ｐに中間転写ベルト５１上の多重トナー像が一括転写される。
【００２１】
感光体ドラム３１表面の残留トナーは、クリーニングブレード３４により除去され、廃トナー収容部（不図示）に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００２２】
定着装置６０は一方向へ回転する無端状の定着ベルト６１と、定着ベルト６１の周面に接し、一方向へ回転する加圧ローラ６２と、を有し、定着ベルト６１と加圧ローラ６２の圧接領域によってニップ部Ｎ（定着領域）が形成される。
転写装置５０においてトナー像が転写された用紙Ｐは、トナー像が未定着の状態で搬送ガイドを経由して定着装置６０に搬送される。定着装置６０に搬送された用紙Ｐは、一対の定着ベルト６１と加圧ローラ６２により、圧着と加熱の作用でトナー像が定着される。定着トナー像が形成された用紙Ｐは、搬送ガイドによってガイドされ、排出ローラ対６９から画像形成装置１上面の排出トレイ１ａに排出される。
【００２３】
（２）転写装置の構成・動作
（２．１）一次転写部の構成
図２は、本実施形態の画像形成装置１における一次転写部の構成を更に詳しく説明するための図である。
転写装置５０は、トナー像保持体としての感光体ドラム３１上に形成されたトナー像を中間転写ベルト５１上に順次転写する一次転写部と、中間転写ベルト５１上に重畳して転写された各色トナー像を記録媒体である用紙Ｐに一括転写する二次転写部とから構成されている。
【００２４】
一次転写ローラ５２は、例えばステンレス製の導電性芯材の外周にゴム製の導電性発泡弾性体を被覆して構成されている。そして、一次転写ローラ５２では、この導電性発泡弾性体に、イオン伝導性を有する物質を混入させることで、抵抗調整を行っている。
【００２５】
中間転写ベルト５１を挟み感光体ドラム３１に対向して中間転写ベルト５１を押圧する押圧部材としての一次転写ローラ５２は、初期状態における体積抵抗率が例えば、１０５Ω・ｃｍ〜１０９Ω・ｃｍの範囲内に設定され、硬度（アスカＣ）が３０°〜５０°の範囲内にあるものを用いることが好ましい。
なお、一次転写ローラ５２に対し、イオン伝導性を有する物質に加えて、例えばカーボンブラック等の電子伝導性を有する物質を混入させて抵抗調整を行うようにしても良い。また、一次転写ローラ５２の直径は、例えば、１６ｍｍ〜２５ｍｍとすることができる。
【００２６】
一次転写ローラ５２には、出力電流値を調整可能な電源１３ａが接続されており、その一方で感光体ドラム３１の基材３１ａは接地されている。電源１３ａは、予め定められた制御を行うことにより一次転写ローラ５２に正極性の一次転写バイアスを印加する。
そして、電源１３ａから一次転写ローラ５２、中間転写ベルト５１および感光体ドラム３１を通して一次転写バイアスに基づく転写電流が流れることにより、感光体ドラム３１と中間転写ベルト５１との間に転写電界を形成し、感光体ドラム３１上のトナー像を中間転写ベルト５１上に転写する。
【００２７】
一次転写ローラ５２の中心軸は、感光体ドラム３１の中心軸に対して、中間転写ベルト５１の移動方向に一定距離（Ｓ）ずらして配置されている。そのために、一次転写のニップ部において中間転写ベルト５１が感光体ドラム３１との巻き付き量（ラップ量）が増加し、より確実にトナー像を一次転写することができる。
【００２８】
（２．２）一次転写ローラの押圧機構
本実施形態では、一次転写ローラ５２の押圧力を増減させて感光体ドラム３１と中間転写ベルト５１との接触圧を増減させる押圧機構を備えている。図３は、一次転写ローラ５２の押圧機構５５を示した図である。
押圧機構５５は、図示しないモータおよび駆動伝達機構を介して連結された伝達軸５５ａ、伝達軸５５ａに取り付けられた偏心カム５５ｂを有している。
【００２９】
一次転写ローラ５２は、一次転写ローラ５２の軸５２ａを支える軸受け５２ｂ、軸受け５２ｂを支えて一次転写ローラ５２の軸５２ａを押圧するスプリング（押しバネ）５２ｃ、スプリング５２ｃや軸受け５２ｂを支える一次転写ローラホルダ５２ｄを備えている。
この一次転写ローラ５２の押圧機構５５は、偏心カム５５ｂの回動により、一次転写ローラホルダ５２ｄを図中の矢印方向に移動させることにより、スプリング５２ｃの押圧力を増減させる。
【００３０】
（２．３）二次転写部の構成
図４は、本実施形態の画像形成装置１における二次転写部の構成を更に詳しく説明するための図である。
二次転写部は、二次転写ローラ５３、バックアップローラ５４、および給電ローラ５６を備える。
二次転写ローラ５３は内側から順に、回転軸５３ａ、発泡層５３ｂ、ソリッド層５３ｃ、およびコート層５３ｄを備える。
回転軸５３ａは例えばステンレス等の金属製シャフトで構成される。発泡層５３ｂは例えばエピクロルヒドリンゴムやウレタンゴム等を発泡させたもので構成される。またソリッド層５３ｃはエピクロルヒドリンゴムやウレタンゴム等で構成される。更にコート層５３ｄはフッ素ゴム等にて構成される。
【００３１】
二次転写ローラ５３の体積抵抗率は、例えば、１０３Ω・ｃｍ〜１０１０Ω・ｃｍの範囲内に設定される。
またバックアップローラ５４は内側から順に、回転軸５４ａおよび弾性層５４ｂを備える。これらのうち回転軸５４ａはステンレス等の金属製シャフトにて構成される。また弾性層５４ｂはＥＰＤＭあるいはエピクロルヒドリンゴム等のゴム材料にて単層あるいは複層に構成される。
そして、バックアップローラ５４の体積抵抗率は、例えば、１０３Ω・ｃｍ〜１０１０Ω・ｃｍの範囲内に設定される。
【００３２】
給電ローラ５６は、アルミニウム等からなる金属にて構成されている。給電ローラ５６には、電源１３ｂが接続されている。この電源１３ｂは、予め定められた制御を行うことにより、給電ローラ５６を介してバックアップローラ５４に正極性の二次転写バイアスを印加する。
そして、二次転写バイアスに基づく転写電流が流れることにより、二次転写ローラ５３とバックアップローラ５４との間に転写電界を形成し、中間転写ベルト５１上のトナー像を用紙Ｐに転写する。
【００３３】
（３）転写装置の作用
（３．１）縁無し印刷
ここで、縁無し印刷について説明する。
画像形成装置１は、用紙Ｐの端部の全周に渡って余白部を設けて画像を印刷する縁あり印刷モードと、余白部を設けず用紙Ｐの端部に至るまで画像を印刷する縁無し印刷モードを有している。
尚、係る縁無し印刷モードの有無は、画像形成装置１の動作を制御するコントローラ１１により判断される。
【００３４】
図５（ａ）は縁あり印刷（以下、通常印刷と記す）を、図５（ｂ）は縁無し印刷を示している。縁あり印刷時には、トナー像は用紙Ｐ内に全て収まり、用紙Ｐの周辺に上余白（ｍｈ）・下余白（ｍｂ）・左余白（ｍｌ）・右余白（ｍｒ）の周辺余白が存在する。
これに対し縁無し印刷は、トナー像が用紙Ｐの端部にまで達しており、周辺余白がなくなる。図５（ｂ）においては、上余白・下余白・左余白・右余白のすべてがない状態を図示してあるものの、一部の端部に余白がなければ縁無し印刷とする。
【００３５】
図６は、縁無し印刷時のトナー像形成を説明する図である。図６（ａ）は中間転写ベルト５１上に形成されるトナー像サイズを表しており、縦はＩｖ、横はＩｈである。また、図６（ｂ）は用紙Ｐのサイズを表しており、縦はＰｖ、横はＰｈである。
【００３６】
トナー像と用紙Ｐのサイズ関係はＰｖ＜Ｉｖ、Ｐｈ＜Ｉｈとなるように設定される。つまり、用紙Ｐが前後左右に少々ずれて給紙されても、用紙Ｐに余白が生じることがないように、トナー像のサイズは選択されている用紙サイズより若干大きくなるように形成される。
中間転写ベルト５１上には、破線で示したＩｖ×Ｉｈサイズのトナー像が形成される。Ｉｖ×Ｉｈサイズのトナー像は、中間転写ベルト５１により、二次転写部へ向かって搬送される。一方、用紙Ｐは、レジストローラ対２３によってタイミング制御され、トナー像が二次転写部に進入するのに合わせて二次転写部に搬送される。
【００３７】
図７は、二次転写部における中間転写ベルト５１と、中間転写ベルト５１上から用紙Ｐへ転写されるトナーと、用紙Ｐ及び二次転写ローラ５３との関係を説明するための断面模式図である。
図７（ａ）に示すように、用紙Ｐのサイズよりもトナー像のサイズが大きいため、トナー像の先後端及び左右端は二次転写ローラ５３上に転写される。
すなわち、二次転写部では、Ｉｖ×Ｉｈサイズのトナー像が、Ｐｖ×Ｐｈサイズの用紙Ｐに転写され、二次転写ローラ５３に付着したトナーは、二次転写中に用紙Ｐの裏面に移行し、用紙Ｐの裏面を汚す課題がある。
【００３８】
本実施形態に係る画像形成装置１においては、縁無し印刷モードが選択された場合に、一次転写ローラ５２の押圧力を増加させて感光体ドラム３１と中間転写ベルト５１との接触圧を増加させる。
【００３９】
画像形成装置１において、縁無し印刷モードが選択されると、画像形成装置１の動作を制御するコントローラ１１により指示を受けたモータが回転駆動される。
そして、図３に示す伝達軸５５ａがモータの動作によって回動すると、偏心カム５５ｂも回動し、この偏心カム５５ｂが当接している一次転写ローラホルダ５２ｄを押すことで、スプリング５２ｃの圧縮高さが減少し、スプリングの押圧力は増加する。
その結果、一次転写ローラ５２は、一次転写ローラ５２の軸５２ａを支える軸受け５２ｂとともに、中間転写ベルト５１を介して感光体ドラム３１へ押圧され、一次転写ローラ５２の押圧力が増加する。
【００４０】
図７（ｂ）には、縁無し印刷時に、一次転写ローラ５２の押圧力を増加させた場合の、二次転写部における中間転写ベルト５１上から用紙Ｐへ転写されるトナーと、二次転写ローラ５３へ移行するトナーを説明するための断面模式図である。
一次転写部において、一次転写ローラ５２の押圧力を増加させるために、トナーと中間転写ベルト５１の付着力が強くなり、非通紙部のトナーは転写されにくくなる。
その結果、二次転写ローラ５３の用紙Ｐの領域外へのトナー移動が少なくなり、用紙裏面汚れや、用紙側面の汚れが減少する。
【００４１】
図８には、一次転写ローラ５２の押圧力と用紙裏面汚れとの関係を示す。
尚、用紙裏面汚れを定量化するために、用紙裏面汚れの度合いを明度（Ｌ＊）で表している。図８において、横軸は一次転写ローラ５２の押圧力を示している。
Ａ点は、通常印刷時の一次転写ローラ５２の押圧力で一次転写した場合の、用紙裏面の明度を示しており、この場合Ｌ＊＝８８．５であった。
Ｂ点は、一次転写ローラ５２の押圧力を増加させて一次転写した場合の、用紙裏面の明度を示しており、この場合Ｌ＊＝９０．８であった。尚、用紙Ｐの白紙部の明度はＬ＊＝９４．５であった。
【００４２】
このように、本実施形態に係る画像形成装置１においては、縁無し印刷モードが選択された場合に、一次転写ローラ５２の押圧力を増加させて感光体ドラム３１と中間転写ベルト５１との接触圧を増加させることにより、トナーと中間転写ベルト５１の付着力が強くなるため、非通紙部のトナーは転写されにくくなる。
その結果、二次転写ローラ５３の用紙Ｐの領域外へのトナー移動が少なくなり、用紙裏面汚れや、用紙側面の汚れが減少する。
【００４３】
「第２実施形態」
本実施形態に係る画像形成装置１Ａは、縁無し印刷モードが選択された場合に、一次転写ローラ５２の押圧力を増加させるとともに、二次転写部における二次転写ローラ５３への二次転写バイアスの印加電圧を増加させる。
従って、本実施形態の画像形成装置１Ａの基本構成は第１実施形態の画像形成装置１と同様であり、第１実施形態の画像形成装置１と共通の構成要素には同一の符号を付し、詳細な説明は省略する。
【００４４】
縁無し印刷モードが選択された場合に、一次転写ローラ５２の押圧力を増加させた場合、トナーと中間転写ベルト５１の付着力が強くなるため、非通紙部のトナーは転写されにくくなる。一方、中間転写ベルト５１上の用紙Ｐと対向した領域のトナーも用紙Ｐへ転写されにくくなる。
【００４５】
図９に、用紙上に転写され定着されたトナー像の濃度と二次転写バイアスの印加電圧との関係の一例を、一次転写ローラ５２の押圧力をパラメータにして示す。
図９で、実線は通常印刷時における一次転写ローラ５２の押圧力で一次転写されたトナー像が二次転写された場合の画像濃度、破線は縁無し印刷時に一次転写ローラ５２の押圧力を増加させて一次転写されたトナー像が二次転写された場合の画像濃度を示す。
【００４６】
このように、一次転写ローラ５２の押圧力を増加させて一次転写されたトナー像を二次転写して最大濃度が得られる二次転写バイアスの印加電圧は、Ｃ点（Ｖ１）からＤ点（Ｖ２）へ変化する。
そこで、画像形成装置１Ａは、縁無し印刷モードが選択された場合に、一次転写ローラ５２の押圧力を増加させるとともに、二次転写部における二次転写ローラ５３への二次転写バイアスの印加電圧を増加させ、用紙Ｐ上に転写される画像濃度を維持することができる。
【００４７】
尚、図７（ｂ）の二次転写部の断面模式図に示すように、中間転写ベルト５１と二次転写ローラ５３との厚み方向において、用紙Ｐは二次転写ローラ５３の圧力を受け、トナーを介して中間転写ベルト５１と密着するが、用紙Ｐの外側（非通紙領域）においては、二次転写ローラ５３と中間転写ベルト５１とは、用紙Ｐの厚みに相当するスペースが形成されるために密着しにくくなっている。
従って、二次転写バイアスの印加電圧を増加させた場合、用紙Ｐへの転写率は向上するが、用紙Ｐの外側（非通紙領域）においては、二次転写電界は相対的に小さくトナーは移動しにくく、用紙裏面汚れや用紙側面の汚れの発生は抑えられる。
すなわち、本実施形態に係る画像形成装置１Ａは、縁無し印刷モードが選択された場合に、一次転写ローラ５２の押圧力を増加させるとともに、二次転写部における二次転写ローラ５３への二次転写バイアスの印加電圧を増加させることにより、用紙上の画質を維持したまま用紙裏面汚れや用紙側面の汚れを抑えることができる。
【００４８】
以上、本発明に係る実施形態を詳述したが、本発明は上記実施形態に限定されるものではなく、特許請求の範囲に記載された本発明の要旨の範囲内で種々の変更を行うことが可能である。
本実施形態では画像形成装置１、１Ａは、いわゆるタンデム型であったが、これに限られるものではない。例えば、トナー像の転写を行なうのに中間転写ベルト５１を例とするトナー像転写体と、トナー像転写体を挟みこのトナー像転写体を押圧する一次転写ローラ５２を例とする押圧部材及びトナー像転写体上のトナー像を記録媒体に二次転写する二次転写ローラ５３を例とする二次転写対向部材を備える画像形成装置であれば、上記の手法を使用することができる。
【符号の説明】
【００４９】
１、１Ａ・・・画像形成装置
１０・・・制御装置
１１・・・コントローラ
１２・・・画像処理部
１３・・・電源装置
２０・・・給紙装置
３０・・・感光体ユニット
３１・・・感光体ドラム
３２・・・帯電ローラ
４０・・・現像装置
４２・・・現像ローラ
５０・・・転写装置
５１・・・中間転写ベルト
５２・・・一次転写ローラ
５２ａ・・・一次転写ローラ軸
５２ｂ・・・一次転写ローラ軸軸受
５２ｃ・・・押圧スプリング
５２ｄ・・・一次転写ローラホルダ
５３・・・二次転写ローラ
５４・・・バックアップローラ
５５・・・押圧機構
５５ａ・・・伝達軸
５５ｂ・・・偏心カム
５６・・・給電ローラ
６０・・・定着装置
【図１】
2014038261.tif 000003
【図２】
2014038261.tif 000004
【図３】
2014038261.tif 000005
【図４】
2014038261.tif 000006
【図５】
2014038261.tif 000007
【図６】
2014038261.tif 000008
【図７】
2014038261.tif 000009
【図８】
2014038261.tif 000010
【図９】
2014038261.tif 000011